(57)【要約】【課題】本発明は、１枚のプランクから組み立てられる段ボール箱に関し、組み立てに要する手間と時間を大幅に削減を実現する組み立て式の段ボール箱を提供することを目的としている。【解決手段】そして、本発明は上記目的を達成するために、底板の四隅の角部の外方に形成されるとともに隣り合う側板同士を連結する隅部連結板の対角線上に、角部寄りの前半部には谷折線が形成するとともに、後半部には一定の幅を有する切込みが形成してあり、当該切込みの先端部は斜め４５度の鋭角状をなしているようにしたものである。【選択図】図１
2019151345.tif 000002
【特許請求の範囲】
【請求項１】
四角形状の底板と、前記底板の４辺と谷折線を介して連結している前後一対の前後側板及び左右一対の左右側板と、前記底板における四隅の角部の外方に形成されるとともに隣り合う側板同士を谷折線を介して連結する４つの正方形状の隅部連結板と、を備えた一枚のプランクから組み立てられる段ボール箱であって、前記４つの隅部連結板には、前記底板の角部を起点とする対角線上における角部寄りの前半部に谷折線を形成するとともに、後半部には前記対角線より一定の平行幅を有する切込みを形成し、当該切込みの先端が前記対角線に対し略４５度の角度を有する鋭角状に形成されて、前記前半部の谷折線に接続していることを特徴とする組立式段ボール箱。
【請求項２】
前記前後一対の前後側板又は左右一対の左右側板のうち、少なくともいずれか一方には、当該一対の側板の外方に谷折線を介して、当該側板と同形状の内側板が連結されていることを特徴とする請求項１に記載の組立式段ボール箱
【発明の詳細な説明】
【技術分野】
【０００１】
本発明は、イチゴなど青果物の運搬に適した組立式の段ボール箱に関し、一枚の型抜きされたプランクから組み立てられる段ボール箱に関するに関するものである。
【背景技術】
【０００２】
収穫された青果物等は、多くの場合はいったん選果場で選果された後に出荷されるのであるが、特にイチゴなどは非常に傷み易いものであるため、その運搬方法には格別の配慮を要する。
【０００３】
そのため選果したイチゴはプラ製の透明な容器にパッキングされ、さらにパックを４つ程度収容できる段ボール箱に収容したうえで、当該段ボール箱を多段に積載した状態でトラック等により出荷されている。
【０００４】
従来より、こうした青果物の出荷に使用される段ボール箱は、製作コストや段ボール箱自体の運搬の利便性を考慮し、１枚の段ボール紙からなる平板上のプランクから組み立てられるものが多く採用されている。
【０００５】
そして、こうしたプランクの基本的な構造は、四角形状の底板と、前記底板の４辺と連結している前後一対の前後側板及び左右一対の左右側板と、前記底板における四隅の角部の外方に形成されるとともに隣り合う側板同士と連結する４つの正方形状の隅部連結板と、を備えた形に型抜きされ、かつ適宜の個所に切込みや谷折線が設けられたものが多い。
【０００６】
またその組み立てにあたっては、上記前後側板と左右側板を谷折線に沿って立ち上げるとともに、前記隅部連結板を斜め４５度に内側に折り込んで箱状に組み立てるようにしている。
【０００７】
ところでこうした段ボール箱は、前述の選果場で組み立てられる場合が多く、選果場では一度に大量の青果物を選果するため、あらかじめ大量の段ボール箱を組み立てておく必要がある。  
【０００８】
しかしながら、上記のような１枚のプランクから組み立てられる段ボール箱は、その組み立てに相応の熟練を要し、人手不足が深刻で熟練した作業員を確保することが困難な昨今の状況にあっては、作業に不慣れな作業員であっても簡単に組み立てられるものが望ましい。
【０００９】
このような１枚のプランクから組み立てられる青果物運搬用の段ボール箱として、例えば特許文献１には、特に４隅に形成されている折れ込み壁４１・４２にあらかじめ折り罫ｍ７を付けたものが記載されている。
【００１０】
また例えば特許文献２には、特許文献１と同様に、隅部連結板１３に谷折線１４と切欠き１５を付けたものが記載されている。
【先行技術文献】
【特許文献】
【００１１】
【特許文献１】特開平６−５６１４５号公報
【特許文献２】特開２０１６−１３０１３５号公報
【発明の概要】
【発明が解決しようとする課題】
【００１２】
ところで上記のようなプランクは、段ボール紙を使用しているためその縦方向又は横方向のいずれかに折れ曲がりやすい紙目がある場合が多い。したがって段ボール箱を組み立てる際には、底板と側板の連結部分は、前記紙目に沿う方向若しくは紙目と垂直の方向に設けられた谷折線に沿って折り込めばよく、また側板の大きさも手で把握し易い程度に大きい箇所であるため力のコントロールもし易く、当該部分の谷折線は比較的容易に折り込むことができる。
【００１３】
ところが、底板における四隅の角部の外方に形成される４つの正方形状の隅部連結板の折り込みは、前記紙目に対して斜め４５度の方向に折り込む必要があり。さらにこの部分は手で把握できる部分も小さいので力のコントロールも難しく、あらかじめ斜め方向の谷折線があったとしても、熟練した作業員でないと手早く正確に折り込むことが難しいという特徴がある。
【００１４】
この点に関し、前記特許文献１及び２に記載のものは、あらかじめ隅部連結板に斜め４５度の谷折線を設けているものの、上記の理由で手早く正確に折り込むことが難しいものと思われる。
【００１５】
そこで本発明は、上記のような１枚のプランクから組み立てられる段ボール箱に関し、上記のような四隅の隅部連結板の折り込みの困難性に着目し、作業に不慣れな作業員であっても当該部分の組み立てが容易な構造を採用することで、組み立てに要する手間と時間の大幅な削減を実現するとともに、製造コストも安価な青果物の運搬に適した組み立て式の段ボール箱を提供することを課題としている。
【課題を解決するための手段】
【００１６】
そして本発明の段ボール箱では、上記目的を達成するために、四角形状の底板と、前記底板の４辺と谷折線を介して連結している前後一対の前後側板及び左右一対の左右側板と、前記底板における四隅の角部の外方に形成されるとともに隣り合う側板同士を谷折線を介して連結する４つの正方形状の隅部連結板と、を備えた一枚のプランクから組み立てられる段ボール箱であって、前記４つの隅部連結板には、前記底板の角部を起点とする対角線上における角部寄りの前半部に谷折線を形成するとともに、後半部には前記対角線より一定の平行幅を有する切込みを形成し、当該切込みの先端が前記対角線に対し略４５度の角度を有する鋭角状に形成されて、前記前半部の谷折線に接続していることを特徴としている。
【００１７】
この発明によれば、特に四隅の隅部連結板における谷折線は、隅部連結板の角部寄りの前半部にしか形成されておらず、また後半部には一定の幅を有する切込みとなっているので、谷折線の長さも短く、折り込む際に少ない力で容易に折り込むことができる。
【００１８】
さらに前記切込みの先端部は、略４５度の鋭角状をなして前記前半部の谷折線に接しているので、隅部連結板を折り込む際の正確なきっかけを作り易く、谷折線に沿って正確に折り込むことができる。
【００１９】
また請求項２に記載の発明では、前後一対の前後側板又は左右一対の左右側板のうち、少なくともいずれか一方には、当該一対の側板の外方に、谷折線を介して、当該側板と同形状の内側板が連結されているので、段ボール箱を強固に組み立てることができるとともに、側板の強度を増すことができる。
【発明の効果】
【００２０】
以上のように本発明の組立式段ボール箱を用いれば、作業に不慣れな作業員であっても、組み立てが容易な構造を採用しているため、組み立てに要する手間と時間を大幅に削減することができる。さらに多段積載にも耐えうる強度を有しているため、特にトラック等に積載して青果物等を運搬する場合に適しており、またこうした優れた段ボール箱を一枚のプランクから製造できるため、製造コストも安価なものとなる。
【図面の簡単な説明】
【００２１】
【図１】本発明の実施形態であるプランクの展開図
【図２】同上の隅部連結板の拡大図
【図３】同上の隅部連結板の折り込み途中の状態図
【図４】本発明の実施形態である段ボール箱の組み立て途中の第１状態図
【図５】同上の第２状態図
【図６】同上の組み立て完成図
【発明を実施するための最良の形態】
【００２２】
以下、本発明の実施の形態について説明すると、はじめに図１は、本発明の組立式段ボール箱で使用される１枚の段ボール紙からなる平板上のプランク１の展開図であるが、型抜きと同時に所定の個所には点線で示す谷折線８と切込み９も設けられている。また前述のようにプランク１は、縦方向又は横方向の何れかに折れ曲がりやすい紙目を有している。
【００２３】
そしてプランク１の中央部には、組み立て後の底部にあたる四角形状の底板２が形成されており、特にイチゴパックを収容しようとする際には、イチゴパックを４つ並べた大きさに設定すればよい。
【００２４】
また四角形状の底板２の周囲４辺には、組み立て後の側壁にあたる長方形状の前後一対の前後側板３と左右一対の左右側板４が谷折線８を介して連結されている。
【００２５】
前記前後側板３と左右側板４は、谷折線８に沿って上方に折り曲げることにより、段ボール箱の側壁を構成することとなるため、その幅は全て等しく形成しておく必要がある。
【００２６】
また前記底板２の四隅にある角部７の外方には、４つの正方形状の隅部連結板５を備えており、さらに各々の隅部連結板５は、前記前後側板３と左右側板４の隣り合う側板同士を谷折線８を介して連結するように接続されている。
【００２７】
そして前記隅部連結板５の各々には、図２に示すように、前記底板２の角部７を起点とする対角線X−X上における角部７寄りの前半部に斜め４５度の谷折線８が形成されるとともに、前記対角線X−Xの後半部には対角線X−Xより一定の平行幅を有する切込み９が形成してある。この切込み９の平行幅については、採用する段ボール紙の厚みに応じて調整すべきものであるが、通常の厚みの場合には５ミリメートル程度を確保しておくことが望ましい。
【００２８】
また前記対角線X−Xの概ね中央部に位置する切込み９の先端部１０は、図２に示すように対角線X−Xに対し鋭角状の角度Aで前半部の谷折線８に接続している。なおこの角度Aについては、その角度が大き過ぎると折れ曲がりの開始位置が先端部１０から外れやすくなるため、谷折線８に沿って正確に折れ曲がり難くなる。また角度が小さすぎると段ボールの厚みが邪魔をして皺ができたり、先端部１０の位置から谷折線８が切断しやすくなるため、角度Aには略４５度の角度を採用すると正確に折込むことができるようになる。またこうした機能を発揮するためには、正確な４５度に合わせる必要性は無いものの、少なくとも４５度±５度程度すなわち４０度から５０度の範囲に収めておく必要がある。
【００２９】
さらに図１に示すものでは、左右一対の左右側板４の外方に、谷折線８を介して、当該左右側板４と同形状の内側板６が各々連結されている。この内側板６は、左右側板４に限らず前後側板３に連結するようにしても構わないのであるが、前記前後一対の前後側板３又は左右一対の左右側板４のうち、少なくともいずれか一方に連結するようにしておけばよい。これは請求項２に記載の発明に対応するものである。
【００３０】
そして上記内側板６を連結することにより、内側板６を谷折線８に沿って段ボール箱の内側に折り込めば、当該部分の側壁が二重構造となり側壁の強度を増すことができる。
【００３１】
またさらに前記内側板６は、図５に示すように、対角線上に沿って直角三角形状に折りたたまれた隅部連結板５を包み込むようにして、上から内側板６を折り込む構造であるため、隅部連結板５を強固に固定させることができる。
【００３２】
なおその際、図１に示すように、内側板６の先端の中央部に小突起状の差込片１１を形成するとともに、左右側板４と底板２とが連結している個所の谷折線８の中央部付近に、前記差込片１１を挿入する差込孔１２を形成することにより、内側板６が外れることを防止することもできる。
【００３３】
また内側板６を設けた場合には、内側板６は左右側板４との間に、二重に折り込まれて厚みを増した隅部連結部５を挟み込む構造となるため、図１に示すように、内側板６と左右側板４とを連結する部分の谷折線８は二重にして形成しておくとよい。
【００３４】
最後に、本発明の段ボール箱が如何に容易かつ正確に組み立てることができるものであるかについて理解を深めるためにも、本発明の段ボール箱の組み立て方について具体的な説明を加える。
【００３５】
前述のように本発明の段ボール箱は、図１に示すような型抜きされて谷折線８や切込み９も付けられた一枚のプランク１より組み立てられるものであるが、その組み立にあたっては初めに底板２の周囲に形成された谷折線８に沿って、前後及び左右方向に折り曲げておく。その際、側板に内側板６が連結されている場合には、この部分の谷折線８もあらかじめ折り曲げておくと良い。
【００３６】
この折り曲げ作業により、一対の前後側板３と左右側板４を容易に上方に立ち上げることができるような曲げ癖が付くとともに、隅部連結板５の周囲に接する谷折線８も同時に折り曲げられているためこの部分にも曲げ癖が付いていることになる。
【００３７】
次に隅部連結板５を、底板２の角部７を起点とする対角線に沿って折り込む作業が必要となる。この部分の折り込みは、前述のように段ボールの紙目に対し４５度の斜め方向に折ることになるうえに、手で把握できる部分も小さいため力も入れ難く、例え斜め方向の谷折線があったとしても意図していない個所に折り目が付くなど、谷折線どおりに正確に折り込むことが難しい箇所である。
【００３８】
しかしながら本発明のプランク１では、図２に示すように対角線X−X上の角部７寄りの前半部には谷折線８が形成されるとともに、後半部には一定の幅を有する切込み９が形成してあるので、底板２の周囲の前後側板３と左右側板４を同時に上方に立ち上げるとともに、隅部連結板５の裏面から対角線X−Xに沿って指を押し当てるなどして折り込む力を加えてゆけば、初めに切込み９のある部分から隅部連結板５が撓み始め、先端部１０を起点にした折れ曲がりのきっかけを容易に掴むことができる。
【００３９】
そして図３に示すように、前記切込み９の先端部１０は略４５度の角度を有する鋭角状をなして前記前半部の谷折線８に接続しているために、先端部１０から折り曲がり始めた隅部連結板５にかかる力は、先端部１０から谷折線８へと正確に誘導され、谷折線８どおりに容易に折り込むことができるようになる。
【００４０】
こうして谷折線８に沿って正確に折り込まれた隅部連結板５は、図４に示す第１状態図を経て、図５の第２状態図に示すような二重に畳まれた直角三角形状になり、前後側板３と左右側板４が完全に立ち上がった状態では、概ね左右側板４と平行に重ね合わさった状態となる。
【００４１】
なお請求項２に記載の発明のように、前後側板３又は左右側板４のいずれか一方に内側板６が連結されている場合には、図４及び図５に示すように、内側板６が連結された側板と隅部連結板５が重ね合う部分を、内側板６で包み込むように折り込むとともに、内側壁６の先端部に形成された差込片１１を、底板２に形成された差込孔１２に挿入して固定すれば、図６の組み立て完成図の状態となる。そしてこの状態では隅部連結板５は非常に強固に固定されるとともに、当該側壁部分の厚みも増し、多段積載にも耐えられる強度的にも優れた構造を実現することができるようになるのである。
【産業上の利用可能性】
【００４２】
以上のように本発明の組立式段ボール箱は、作業に不慣れな作業員であっても、組み立てが容易な構造を採用しており、組み立てに要する手間と時間を大幅に削減することができるうえに強度にも優れかつ安価に製造することもできる。そのため特に青果物用に限定されるものではなく、電気製品など段ボール箱を大量に使用する際に有効に活用することができる。
【符号の説明】
【００４３】
１  プランク、２  底部、３  前後側部、４  左右側板、  ５  隅部連結板、６  内側板、７  角部、８  谷折線、９  切込み、１０  切込みの先端部、１１  差込片、１２  差込孔
【図１】
2019151345.tif 000003
【図２】
2019151345.tif 000004
【図３】
2019151345.tif 000005
【図４】
2019151345.tif 000006
【図５】
2019151345.tif 000007
【図６】
2019151345.tif 000008
【手続補正書】
【提出日】平成30年6月21日(2018.6.21)
【手続補正１】
【補正対象書類名】明細書
【補正対象項目名】全文
【補正方法】変更
【補正の内容】
【発明の詳細な説明】
【技術分野】
【０００１】
本発明は、イチゴなど青果物の運搬に適した組立式の段ボール箱に関し、一枚の型抜きされたプランクから組み立てられる段ボール箱に関するに関するものである。
【背景技術】
【０００２】
収穫された青果物等は、多くの場合はいったん選果場で選果された後に出荷されるのであるが、特にイチゴなどは非常に傷み易いものであるため、その運搬方法には格別の配慮を要する。
【０００３】
そのため選果したイチゴはプラ製の透明な容器にパッキングされ、さらにパックを４つ程度収容できる段ボール箱に収容したうえで、当該段ボール箱を多段に積載した状態でトラック等により出荷されている。
【０００４】
従来より、こうした青果物の出荷に使用される段ボール箱は、製作コストや段ボール箱自体の運搬の利便性を考慮し、１枚の段ボール紙からなる平板上のプランクから組み立てられるものが多く採用されている。
【０００５】
そして、こうしたプランクの基本的な構造は、四角形状の底板と、前記底板の４辺と連結している前後一対の前後側板及び左右一対の左右側板と、前記底板における四隅の角部の外方に形成されるとともに隣り合う側板同士と連結する４つの正方形状の隅部連結板と、を備えた形に型抜きされ、かつ適宜の個所に切込みや谷折線が設けられたものが多い。
【０００６】
またその組み立てにあたっては、上記前後側板と左右側板を谷折線に沿って立ち上げるとともに、前記隅部連結板を斜め４５度に内側に折り込んで箱状に組み立てるようにしている。
【０００７】
ところでこうした段ボール箱は、前述の選果場で組み立てられる場合が多く、選果場では一度に大量の青果物を選果するため、あらかじめ大量の段ボール箱を組み立てておく必要がある。  
【０００８】
しかしながら、上記のような１枚のプランクから組み立てられる段ボール箱は、その組み立てに相応の熟練を要し、人手不足が深刻で熟練した作業員を確保することが困難な昨今の状況にあっては、作業に不慣れな作業員であっても簡単に組み立てられるものが望ましい。
【０００９】
このような１枚のプランクから組み立てられる青果物運搬用の段ボール箱として、例えば特許文献１には、特に４隅に形成されている折れ込み壁４１・４２にあらかじめ折り罫ｍ７を付けたものが記載されている。
【００１０】
また例えば特許文献２には、特許文献１と同様に、隅部連結板１３に谷折線１４と切欠き１５を付けたものが記載されている。
【先行技術文献】
【特許文献】
【００１１】
【特許文献１】特開平６−５６１４５号公報
【特許文献２】特開２０１６−１３０１３５号公報
【発明の概要】
【発明が解決しようとする課題】
【００１２】
ところで上記のようなプランクは、段ボール紙を使用しているためその縦方向又は横方向のいずれかに折れ曲がりやすい紙目がある場合が多い。したがって段ボール箱を組み立てる際には、底板と側板の連結部分は、前記紙目に沿う方向若しくは紙目と垂直の方向に設けられた谷折線に沿って折り込めばよく、また側板の大きさも手で把握し易い程度に大きい箇所であるため力のコントロールもし易く、当該部分の谷折線は比較的容易に折り込むことができる。
【００１３】
ところが、底板における四隅の角部の外方に形成される４つの正方形状の隅部連結板の折り込みは、前記紙目に対して斜め４５度の方向に折り込む必要があり。さらにこの部分は手で把握できる部分も小さいので力のコントロールも難しく、あらかじめ斜め方向の谷折線があったとしても、熟練した作業員でないと手早く正確に折り込むことが難しいという特徴がある。
【００１４】
この点に関し、前記特許文献１及び２に記載のものは、あらかじめ隅部連結板に斜め４５度の谷折線を設けているものの、上記の理由で手早く正確に折り込むことが難しいものと思われる。
【００１５】
そこで本発明は、上記のような１枚のプランクから組み立てられる段ボール箱に関し、上記のような四隅の隅部連結板の折り込みの困難性に着目し、作業に不慣れな作業員であっても当該部分の組み立てが容易な構造を採用することで、組み立てに要する手間と時間の大幅な削減を実現するとともに、製造コストも安価な青果物の運搬に適した組み立て式の段ボール箱を提供することを課題としている。
【課題を解決するための手段】
【００１６】
そして本発明の段ボール箱では、上記目的を達成するために、四角形状の底板と、前記底板の４辺と上面から見て谷折線を介して連結している前後一対の前後側板及び左右一対の左右側板と、前記底板における四隅の角部の外方に形成されるとともに隣り合う側板同士を上面から見て谷折線を介して連結する４つの正方形状の隅部連結板と、を備えた一枚のプランクから組み立てられる段ボール箱であって、前記４つの隅部連結板には、前記底板の角部を起点とする対角線上における角部寄りの前半部に下面から見て谷折線を形成するとともに、後半部にはその全長にわたり前記対角線より５ミリメートル程度の平行幅を有する切込みを形成し、当該切込みの先端が前記対角線に対し略４５度の角度を有する鋭角状に形成されて、前記前半部の谷折線に接続し、前記前後一対の前後側板又は左右一対の左右側板のうち、少なくともいずれか一方には、当該一対の側板の外方に上面から見て谷折線を介して、当該側板と同形状の内側板が連結されていることを特徴としている。
【００１７】
この発明によれば、特に四隅の隅部連結板における谷折線は、隅部連結板の角部寄りの前半部にしか形成されておらず、また後半部には一定の幅を有する切込みとなっているので、谷折線の長さも短く、折り込む際に少ない力で容易に折り込むことができる。
【００１８】
さらに前記切込みの先端部は、略４５度の鋭角状をなして前記前半部の谷折線に接しているので、隅部連結板を折り込む際の正確なきっかけを作り易く、谷折線に沿って正確に折り込むことができる。
【００１９】
またさらに、前後一対の前後側板又は左右一対の左右側板のうち、少なくともいずれか一方には、当該一対の側板の外方に、上面から見て谷折線を介して、当該側板と同形状の内側板が連結されているので、段ボール箱を強固に組み立てることができるとともに、側板の強度を増すことができる。
【発明の効果】
【００２０】
以上のように本発明の組立式段ボール箱を用いれば、作業に不慣れな作業員であっても、組み立てが容易な構造を採用しているため、組み立てに要する手間と時間を大幅に削減することができる。さらに多段積載にも耐えうる強度を有しているため、特にトラック等に積載して青果物等を運搬する場合に適しており、またこうした優れた段ボール箱を一枚のプランクから製造できるため、製造コストも安価なものとなる。
【図面の簡単な説明】
【００２１】
【図１】本発明の実施形態であるプランクの展開図
【図２】同上の隅部連結板の拡大図
【図３】同上の隅部連結板の折り込み途中の状態図
【図４】本発明の実施形態である段ボール箱の組み立て途中の第１状態図
【図５】同上の第２状態図
【図６】同上の組み立て完成図
【発明を実施するための最良の形態】
【００２２】
以下、本発明の実施の形態について説明すると、はじめに図１は、本発明の組立式段ボール箱で使用される１枚の段ボール紙からなる平板上のプランク１の上面から見た展開図であるが、型抜きと同時に所定の個所には点線で示す谷折線８と切込み９も設けられている。また前述のようにプランク１は、縦方向又は横方向の何れかに折れ曲がりやすい紙目を有している。
【００２３】
そしてプランク１の中央部には、組み立て後の底部にあたる四角形状の底板２が形成されており、特にイチゴパックを収容しようとする際には、イチゴパックを４つ並べた大きさに設定すればよい。
【００２４】
また四角形状の底板２の周囲４辺には、組み立て後の側壁にあたる長方形状の前後一対の前後側板３と左右一対の左右側板４が上面から見て谷折線８を介して連結されている。
【００２５】
前記前後側板３と左右側板４は、谷折線８に沿って上方に折り曲げることにより、段ボール箱の側壁を構成することとなるため、その幅は全て等しく形成しておく必要がある。
【００２６】
また前記底板２の四隅にある角部７の外方には、４つの正方形状の隅部連結板５を備えており、さらに各々の隅部連結板５は、前記前後側板３と左右側板４の隣り合う側板同士を上面から見て谷折線８を介して連結するように接続されている。
【００２７】
そして前記隅部連結板５の各々には、図２に示すように、前記底板２の角部７を起点とする対角線X−X上における角部７寄りの前半部に斜め４５度の下面から見て谷折線８が形成されるとともに、前記対角線X−Xの後半部にはその全長にわたり対角線X−Xより５ミリメートル程度の平行幅を有する切込み９が形成してある。
【００２８】
また前記対角線X−Xの概ね中央部に位置する切込み９の先端部１０は、図２に示すように対角線X−Xに対し鋭角状の角度Aで前半部の谷折線８に接続している。なおこの角度Aについては、その角度が大き過ぎると折れ曲がりの開始位置が先端部１０から外れやすくなるため、谷折線８に沿って正確に折れ曲がり難くなる。また角度が小さすぎると段ボールの厚みが邪魔をして皺ができたり、先端部１０の位置から谷折線８が切断しやすくなるため、角度Aには略４５度の角度を採用すると正確に折込むことができるようになる。またこうした機能を発揮するためには、正確な４５度に合わせる必要性は無いものの、少なくとも４５度±５度程度すなわち４０度から５０度の範囲に収めておく必要がある。
【００２９】
さらに図１では、左右一対の左右側板４の外方に、上面から見て谷折線８を介して、当該左右側板４と同形状の内側板６が各々連結されている。この内側板６は、左右側板４に限らず前後側板３に連結するようにしても構わないのであるが、前記前後一対の前後側板３又は左右一対の左右側板４のうち、少なくともいずれか一方に連結するようにしておけばよい。
【００３０】
そして上記内側板６を連結することにより、内側板６を谷折線８に沿って段ボール箱の内側に折り込めば、当該部分の側壁が二重構造となり側壁の強度を増すことができる。
【００３１】
またさらに前記内側板６は、図５に示すように、対角線上に沿って直角三角形状に折りたたまれた隅部連結板５を包み込むようにして、上から内側板６を折り込む構造であるため、隅部連結板５を強固に固定させることができる。
【００３２】
なおその際、図１に示すように、内側板６の先端の中央部に小突起状の差込片１１を形成するとともに、左右側板４と底板２とが連結している個所の谷折線８の中央部付近に、前記差込片１１を挿入する差込孔１２を形成することにより、内側板６が外れることを防止することもできる。
【００３３】
また内側板６を設けることにより、内側板６は左右側板４との間に、二重に折り込まれて厚みを増した隅部連結部５を挟み込む構造となるため、図１に示すように、内側板６と左右側板４とを連結する部分の谷折線８は二重にして形成しておくとよい。
【００３４】
最後に、本発明の段ボール箱が如何に容易かつ正確に組み立てることができるものであるかについて理解を深めるためにも、本発明の段ボール箱の組み立て方について具体的な説明を加える。
【００３５】
前述のように本発明の段ボール箱は、図１に示すような型抜きされて谷折線８や切込み９も付けられた一枚のプランク１より組み立てられるものであるが、その組み立にあたっては初めに底板２の周囲に形成された谷折線８に沿って、前後及び左右方向に折り曲げておく。その際、側板に内側板６が連結されている部分の谷折線８もあらかじめ折り曲げておくと良い。
【００３６】
この折り曲げ作業により、一対の前後側板３と左右側板４を容易に上方に立ち上げることができるような曲げ癖が付くとともに、隅部連結板５の周囲に接する谷折線８も同時に折り曲げられているためこの部分にも曲げ癖が付いていることになる。
【００３７】
次に隅部連結板５を、底板２の角部７を起点とする対角線に沿って折り込む作業が必要となる。この部分の折り込みは、前述のように段ボールの紙目に対し４５度の斜め方向に折ることになるうえに、手で把握できる部分も小さいため力も入れ難く、例え斜め方向の谷折線があったとしても意図していない個所に折り目が付くなど、谷折線どおりに正確に折り込むことが難しい箇所である。
【００３８】
しかしながら本発明のプランク１では、図２に示すように対角線X−X上の角部７寄りの前半部には下面から見て谷折線８が形成されるとともに、後半部にはその全長にわたり５ミリメートル程度の幅を有する切込み９が形成してあるので、底板２の周囲の前後側板３と左右側板４を同時に上方に立ち上げるとともに、隅部連結板５の裏面から対角線X−Xに沿って指を押し当てるなどして折り込む力を加えてゆけば、初めに切込み９のある部分から隅部連結板５が撓み始め、先端部１０を起点にした折れ曲がりのきっかけを容易に掴むことができる。
【００３９】
そして図３に示すように、前記切込み９の先端部１０は略４５度の角度を有する鋭角状をなして前記前半部の谷折線８に接続しているために、先端部１０から折り曲がり始めた隅部連結板５にかかる力は、先端部１０から谷折線８へと正確に誘導され、谷折線８どおりに容易に折り込むことができるようになる。
【００４０】
こうして谷折線８に沿って正確に折り込まれた隅部連結板５は、図４に示す第１状態図を経て、図５の第２状態図に示すような二重に畳まれた直角三角形状になり、前後側板３と左右側板４が完全に立ち上がった状態では、概ね左右側板４と平行に重ね合わさった状態となる。
【００４１】
なお、前後側板３又は左右側板４のいずれか一方には内側板６が連結されているので、図４及び図５に示すように、内側板６が連結された側板と隅部連結板５が重ね合う部分を、内側板６で包み込むように折り込むとともに、内側壁６の先端部に形成された差込片１１を、底板２に形成された差込孔１２に挿入して固定すれば、図６の組み立て完成図の状態となる。そしてこの状態では隅部連結板５は非常に強固に固定されるとともに、当該側壁部分の厚みも増し、多段積載にも耐えられる強度的にも優れた構造を実現することができるようになるのである。
【産業上の利用可能性】
【００４２】
以上のように本発明の組立式段ボール箱は、作業に不慣れな作業員であっても、組み立てが容易な構造を採用しており、組み立てに要する手間と時間を大幅に削減することができるうえに強度にも優れかつ安価に製造することもできる。そのため特に青果物用に限定されるものではなく、電気製品など段ボール箱を大量に使用する際に有効に活用することができる。
【符号の説明】
【００４３】
１  プランク、２  底部、３  前後側部、４  左右側板、  ５  隅部連結板、６  内側板、７  角部、８  谷折線、９  切込み、１０  切込みの先端部、１１  差込片、１２  差込孔
【手続補正２】
【補正対象書類名】特許請求の範囲
【補正対象項目名】全文
【補正方法】変更
【補正の内容】
【特許請求の範囲】
【請求項１】
四角形状の底板と、前記底板の４辺と上面から見て谷折線を介して連結している前後一対の前後側板及び左右一対の左右側板と、前記底板における四隅の角部の外方に形成されるとともに隣り合う側板同士を上面から見て谷折線を介して連結する４つの正方形状の隅部連結板と、を備えた一枚のプランクから組み立てられる段ボール箱であって、前記４つの隅部連結板には、前記底板の角部を起点とする対角線上における角部寄りの前半部に下面から見て谷折線を形成するとともに、後半部にはその全長にわたり前記対角線より５ミリメートル程度の平行幅を有する切込みを形成し、当該切込みの先端が前記対角線に対し略４５度の角度を有する鋭角状に形成されて、前記前半部の谷折線に接続し、前記前後一対の前後側板又は左右一対の左右側板のうち、少なくともいずれか一方には、当該一対の側板の外方に上面から見て谷折線を介して、当該側板と同形状の内側板が連結されていることを特徴とする組立式段ボール箱。